(57)【要約】【課題】画像形成装置等において、ローラユニットの位置合わせを容易に行う。【解決手段】レジストローラ１５１及び１５２を回転自在に格納するユニットフレーム１５３を有するレジストローラユニット１５４を画像形成装置１の搬送フレーム１５５に位置決めする位置決め機構であって、嵌合端１１ｄが、前記ローラフレームの、レジストローラ１５１及び１５２の駆動軸１５１ａが固定された手前側板１５３ｃに、搬送フレーム１５５の手前側板１５５ｃに設けられた開口部を介して、挿入されるピン本体１１ｃと、ピン本体１１ｃの他端に設けられ、ピン本体１１ｃを一定位置で固定するための保持部材１１ａとを備え、保持部材１１ａは、手前側板１５５ｃに設けられた調整用スリット１２ｃに嵌合可能な凸部１１ｅを有し、嵌合位置は、搬送フレーム１５５内のレジストローラユニット１５４の位置に対応して複数存在する。【選択図】  図２
2010066735.tif 000002
【特許請求の範囲】
【請求項１】
用紙を搬送する搬送ローラ、及び前記搬送ローラを回転自在に格納するフレームを有するローラユニットを画像形成装置内の所定位置に位置決めする、ローラユニットの位置決め機構であって、
その一端が、前記フレームの前記搬送ローラのローラ軸が固定された側面に、前記画像形成装置本体の、前記フレームの前記側面に対向する側板に設けられた開口部を介して、挿入される挿入ピンと、
前記挿入ピンの他端に設けられ、前記挿入ピンを前記画像形成装置本体に対して一定位置で固定するための保持部材とを備え、
前記保持部材は、前記画像形成装置本体の前記側面に設けられた第１の嵌合部に嵌合可能な第２の嵌合部を有し、
前記第１の嵌合部と前記第２の嵌合部とが嵌合する嵌合位置が、前記画像形成装置内における前記ローラユニットの位置に対応して複数存在する、
ローラユニットの位置決め機構。
【請求項２】
前記開口部は、その高さは前記挿入ピンの直径に対応し、その幅が前記挿入ピンの直径より大きい、請求項１に記載のローラユニットの位置決め機構。
【請求項３】
前記第１の嵌合部は、それぞれが同一の形状を有する複数のパターンの一部同士が重なりあって形成されたスリットであり、
前記第１の嵌合部は、前記複数のパターンにおける一つの形状に対応した突起である、請求項１に記載のローラユニットの位置決め機構。
【請求項４】
前記複数のパターンは、複数の窪み又は複数の貫通孔により形成されている、請求項１に記載のローラユニットの位置決め機構。
【請求項５】
前記第１の嵌合部は、それぞれが同一の形状を有する複数の窪み又は貫通孔である、請求項１に記載のローラユニットの位置決め機構。
【請求項６】
給紙部と、
前記給紙部から給紙される用紙に対し画像形成を行う画像形成部と、
前記給紙部と前記画像形成部との間、前記用紙の搬送方向からみて前記画像形成部の下流、又は前記搬送方向からみて前記給紙部の上流のいずれかに配置されたローラユニットとを備えた画像形成装置であって、
前記ローラユニットは、
前記用紙を搬送する搬送ローラと、
前記搬送ローラを回転自在に格納するフレームと、
前記画像形成装置の本体と前記ローラユニットとを位置決め固定する、請求項１から５のいずれかに記載のローラユニットの位置決め機構を備えた、画像形成装置。
【発明の詳細な説明】
【技術分野】
【０００１】
本発明は、複写機、プリンタ、ＦＡＸ等の画像形成装置等において利用されるローラユニットの位置決め機構それを用いた画像形成装置に関する。
【背景技術】
【０００２】
従来より複写機やプリンタ等の画像形成装置においては、その内部において画像形成の前後で用紙を搬送する用紙搬送装置が内蔵されている。図８は、そのような画像形成装置の模式的構成図である。
【０００３】
図８に示すように、画像形成装置１００は、画像をトナー像として生成し、手差しトレイ１１０又は給紙装置１２０から供給された用紙上に形成させる画像形成部１３０、及び用紙上のトナー像を定着して印刷物とする画像定着部１４０を備えている。
【０００４】
又、画像形成部１３０等の下部には複数の給紙装置１２０が積層して備えられており、それぞれの給紙装置１２０から搬出された用紙は、共通の搬送路を通って画像形成部１３０へ搬入される。
【０００５】
以上のような画像形成装置においては、給紙装置１２０、画像形成部１３０、及び画像定着部１４０の各部の間にも搬送ローラによる搬送経路が形成され、画像形成前から画像形成後まで用紙を搬送している。
【０００６】
特に、画像形成部１３０の上流側に設けられた用紙搬送装置１５０（図８中破線で囲んだ部分）は、画像形成直前の用紙を搬送する手段であり、画像形成部１３０内の感光体ドラム１３１に対して用紙の位置決め精度を、他の部分にも増して確保する必要がある。
【０００７】
ここで図９は、用紙搬送装置１５０の一例を模式的に示す図である（例えば、特許文献１を参照）。図９に示すように、用紙搬送装置１５０は、一対のレジストローラ１５１及び１５２と、レジストローラ１５１及び１５２を収納するユニットフレーム１５３とを有するレジストローラユニット１５４、並びにレジストローラユニット１５４を固定する搬送フレーム１５５を主要部として構成される。なお、説明の便宜上、図中白抜き矢印に示すように、図中左側を「奥」、右側を「手前」として、各側板を定義した。
【０００８】
レジストローラユニット１５４において、ユニットフレーム１５３は、レジストローラ１５１及び１５２のローラ面と対向配置された底板１５３ａ、底板１５３ａの両側端に設けられ、レジストローラ１５１及び１５２の軸を回転可能に固定する奥側板１５３ｂ及び手前側板１５３ｃとを備える。手前側板１５３ｃの外側には、レジストローラ１５１の軸が延伸され、外部からの回転駆動力が伝達される駆動軸１５１ａを形成している。なお、駆動軸１５１ａの端部は、図示しない外部回転駆動源と連結可能な構成を有する。
【０００９】
又、搬送フレーム１５５は、レジストローラユニット１５４が載置される底板１５５ａ、底板１５３ａの両側端に設けられた奥側板１５５ｂ及び手前側板１５５ｃとを備える。図示されるように、手前側板１５５ｃは、レジストローラ１５１の駆動軸１５１ａが通過するように一部に切り欠が設けられている。
【００１０】
レジストローラユニット１５４と搬送フレーム１５５とは、搬送フレーム１５５の奥側板１５５ｂの外側から当該奥側板１５５ｂを貫通してユニットフレーム１５３の奥側板１５３ｂに嵌合する嵌合ピン１５６、及び搬送フレーム１５５の手前側板１５５ｃの外側から当該手前側板１５５ｃを貫通してユニットフレーム１５３の手前側板１５３ｃに嵌合する嵌合ピン１５７によって位置決め固定される。
【００１１】
なお、本来の用紙搬送装置の構成においては、レジストローラ１５１及び１５２間を所定のニップ圧に保つためのスプリング、紙詰まり（ジャム）が発生した場合に搬送路を開放するための搬送ガイド板等は当然備えられているが、これらは周知技術であり、本明細書においては直接関係ないため図示並びに説明を省略した。
【特許文献１】特開２００２−３１１７９４号公報
【発明の開示】
【発明が解決しようとする課題】
【００１２】
以上のような構成の用紙搬送装置１５０においては、レジストローラユニット１５４と搬送フレーム１５５との位置決めは、レジストローラ１５１及び１５２のアライメントを図８に示す画像形成部１３０の感光体ドラム１３１に対して保証するために行われる。
【００１３】
感光体ドラム１３１上のトナー像の回転方向と、図９中の矢印Ａにより示す用紙の搬送方向とが交差する角度を持った状態であると、画像形成部１３０において用紙がねじれた状態で搬入されるため、感光体ドラム１３１上のトナー像が用紙上に正しく転写できないからである。
【００１４】
したがって、レジストローラ１５１及び１５２のアライメントを保証するためには、用紙搬送装置１５０を構成する、ローラフレーム１４３等の個々の部品が精度良く作成され、かつ、当該個々の部品が精度良く組み立てられている必要があるが、個々の部品の精度、及び部品同士の組立の精度が双方とも高い場合は希であり、これら精度によらず、レジストローラ１５１及び１５２のアライメントを保証することが必要である。
【００１５】
本発明はこのような課題に鑑みてなされたものであり、画像形成装置等において、ローラユニットの位置合わせを容易に行うことができる、ローラユニットの位置決め機構及びそれを用いた画像形成装置を提供することを目的とする。
【課題を解決するための手段】
【００１６】
上記の目的を達成するために、第１の本発明は、用紙を搬送する搬送ローラ、及び前記搬送ローラを回転自在に格納するフレームを有するローラユニットを画像形成装置内の所定位置に位置決めする、ローラユニットの位置決め機構であって、
その一端が、前記フレームの前記搬送ローラのローラ軸が固定された側面に、前記画像形成装置本体の、前記フレームの前記側面に対向する側板に設けられた開口部を介して、挿入される挿入ピンと、
前記挿入ピンの他端に設けられ、前記挿入ピンを前記画像形成装置本体に対して一定位置で固定するための保持部材とを備え、
前記保持部材は、前記画像形成装置本体の前記側面に設けられた第１の嵌合部に嵌合可能な第２の嵌合部を有し、
前記第１の嵌合部と前記第２の嵌合部とが嵌合する嵌合位置が、前記画像形成装置内における前記ローラユニットの位置に対応して複数存在する、
ローラユニットの位置決め機構である。
【００１７】
又、第２の本発明は、前記開口部は、その高さは前記挿入ピンの直径に対応し、その幅が前記挿入ピンの直径より大きい、第１の本発明のローラユニットの位置決め機構である。
【００１８】
又、第３の本発明は、前記第１の嵌合部は、それぞれが同一の形状を有する複数のパターンの一部同士が重なりあって形成されたスリットであり、
前記第１の嵌合部は、前記複数のパターンにおける一つの形状に対応した突起である、第１の本発明のローラユニットの位置決め機構である。
【００１９】
又、第４の本発明は、前記複数のパターンは、複数の窪み又は複数の貫通孔により形成されている、第１の本発明のローラユニットの位置決め機構である。
【００２０】
又、第５の本発明は、前記第１の嵌合部は、それぞれが同一の形状を有する複数の窪み又は貫通孔である、第１の本発明のローラユニットの位置決め機構である。
【００２１】
又、第６の本発明は、給紙部と、
前記給紙部から給紙される用紙に対し画像形成を行う画像形成部と、
前記給紙部と前記画像形成部との間、前記用紙の搬送方向からみて前記画像形成部の下流、又は前記搬送方向からみて前記給紙部の上流のいずれかに配置されたローラユニットとを備えた画像形成装置であって、
前記ローラユニットは、
前記用紙を搬送する搬送ローラと、
前記搬送ローラを回転自在に格納するフレームと、
前記画像形成装置の本体と前記ローラユニットとを位置決め固定する、第１から第５のいずれかの本発明のローラユニットの位置決め機構を備えた、画像形成装置である。
【発明の効果】
【００２２】
以上のような本発明によれば、画像形成装置等において、ローラユニットの位置合わせを容易に行うことができる効果を有する。
【発明を実施するための最良の形態】
【００２３】
以下、本発明の実施の形態を、図面を参照して説明する。
【００２４】
図１は、本発明の一実施の形態によるローラユニットの位置決め機構を用いた用紙搬送装置の要部斜視図である。ただし、図１において、従来例と同一又は相当部には、図９と同一符号を付し、詳細な説明は省略する。又図９同様、説明の便宜上、図中白抜き矢印に示すように、図中左側を「奥」、右側を「手前」として、各側板を定義した。
【００２５】
図１に示すように、本実施の形態の用紙搬送装置１は、レジストローラユニット１５４と搬送フレーム１５５との位置決めのために、従来の嵌合ピン１５７に代えて、レジストローラユニット１５４の位置を可変可能に位置決めするローラユニットの位置決め機構１０を設けたことを特徴とする。なお、嵌合ピン１５６は従来例と同様の構成である。
【００２６】
図２は、用紙搬送装置１におけるローラユニットの位置決め機構１０近傍の構成を示す分解斜視図である。図２に示すように、ローラユニットの位置決め機構１０は、搬送フレーム１５５に嵌合する嵌合端１１ｄをその先端に有するピン本体１１ｃ、及びピン本体１１ｃが固定された保持部材１１ａとを有する。
【００２７】
ピン本体１１ｃ及び嵌合端１１ｄは一体形成されたステンレス、スチール等の金属性の部材であり、図示しないレジストローラユニット１５４の手前側面１５３ｃは嵌合端１１ｄの外形に対応した孔を有し、嵌合端１１ｄが当該孔に嵌合することでレジストローラユニット１５４は固定される。ピン本体１１ｃは嵌合端１１ｄの径、すなわちレジストローラユニット１５４の手前側板１５３ｃの孔より大きな径を有することで、レジストローラユニット１５４が、ピン本体１１ｃの延伸方向に沿って移動することを防ぐようにしている。
【００２８】
保持部材１１ａは、ピン本体１１ｃと同様の金属材料をプレス加工等して得られる板状部材であって、ピン本体１１ｃの固定位置を上下に挟む位置に一対の湾曲スリット１１ｂが両主面を貫通するように開口されるとともに、ピン本体１１ｃが設けられているのと同一の面に、後述する突起が設けられている。
【００２９】
一方、搬送フレーム１５５の手前側板１５５ｃ、位置決め機構１０が取り付けられる側においては、長孔１２ａ、長孔１２ａを上下から挟むように設けられた一対のビス孔１２ｂ、及び後述する調整用スリット１２ｃがそれぞれ設けられている。長孔１２ａはピン本体１１ｃが通過する大きさを有するが、その図中高さ寸法ｈはピン本体１１ｃの外径と実質上同一であり、又図中幅寸法ｗはピン本体１１ｃの外径より大きい。
【００３０】
次に、図３（ａ）（ｂ）は、ローラユニットの位置決め機構１０単体の斜視図であり、図２と同一又は相当部には、同一符号を付し、詳細な説明は省略する。図３（ｂ）に示すように、保持部材１１ａにおいては、ピン本体１１ｃが設けられた面に、外形が円形であって、その先端が曲面の凸形状を有する凸部１１ｅが打ち出しにより形成されている。なお、図３（ａ）等に示すように、保持部材１１ａの面上であって凸部１１ｅに対応する部分においては、打ち出し形成痕１１ｆが残っている。
【００３１】
以上の構成において、用紙搬送装置１のレジストローラユニット１５４は本発明のローラユニットに相当する。又、搬送フレーム１５５は本発明の画像形成装置本体に相当する。又、ローラユニットの位置決め機構１０は本発明のローラユニットの位置決め機構に相当し、ピン本体１１ｃ及び嵌合端１１ｄは本発明の挿入ピンに相当する。又、保持部材１１ａは本発明の保持部材に相当する。又、凸部１１ｅは本発明の第２の嵌合部に相当し、長孔１２ａは本発明の開口部に相当し、調整用スリット１２ｃは本発明のスリットとしての第１の嵌合部に相当する。
【００３２】
このような構成を有する本実施の形態のローラユニットの位置決め機構１０の機能を、上記図２、３及び図４を参照して説明する。
【００３３】
図１及び図２に示すように、ローラユニットの位置決め機構１０の、レジストローラユニット１５４及び搬送フレーム１５５への取り付けは、ピン本体１１ｃを、搬送フレーム１５５の手前側板１５５ｃの長孔１２ａを通過させるようにするが、このとき、調整用スリット１２ｃに図３（ｂ）に示す凸部１１ｅが嵌合するような配置とする。
【００３４】
図４は、搬送フレーム１５５の手前側板１５５ｃの各部と、ローラユニットの位置決め機構１０の各部との位置の対応を示す図である。
【００３５】
図４に示すように、調整用スリット１２ｃは、凸部１１ｅの外形に対応した貫通孔パターン４１〜４５が、互いに一部同士が重なり合うよう配列された形状を有する。更に、各貫通孔パターン４１〜４５の中心４１ａ〜４５ａは、長孔１２ａからの距離がそれぞれ異なっており、かつ、中心４１ａ〜４５ａは同一円周上に配置される関係にない。
【００３６】
調整用スリット１２ｃに対して、凸部１１ｅを貫通孔パターン４１〜４５のいずれか一つに対応する位置で嵌合させた場合、ピン本体１１ｃの長孔１２ａの幅方向における配置位置は、当該嵌合位置に応じて変化する。ローラユニットの位置決め機構１０において、ピン本体１１ｃと凸部１１ｅとは保持部材１１ａ上に一定の間隔で固定されており、かつ、ピン本体１１ｃが通過する長孔１２ａのため、ピン本体１１ｃは長孔１２ａの高さ方向の動作が規制されているためである。
【００３７】
換言すれば、調整用スリット１２ｃの貫通孔パターン４１〜４５の配置は、ピン本体１１ｃの、長孔１２ａの幅方向における移動距離を考慮することにより決定されている。
【００３８】
このような構成を備えたことにより、本実施の形態においては、凸部１１ｅの嵌合位置を調整用スリット１２ｃの貫通孔パターン４１〜４５のいずれかに定めることにより、ピン本体１１ｃを、搬送フレーム１５５の手前側板１５５ｃの長孔１２ａの幅方向に沿って段階的に位置決めすることができる。
【００３９】
図４に示す例においては、長孔１２ａの重心にピン本体１１ｃが配置された時の状態（ピン本体１１ｃの輪郭は図中破線（イ）により示される）に対応して貫通孔パターン４３を設定し、長孔１２ａの最も左寄りにピン本体１１ｃが接する場合の状態（ピン本体１１ｃの輪郭は図中一点鎖線（ロ）により示される）に対応して貫通孔パターン４５を設定し、長孔１２ａの最も右寄りにピン本体１１ｃが接する場合の状態（ピン本体１１ｃの輪郭は図中点線（ハ）により示される）に対応して貫通孔パターン４１を設定した。又、左右両端と重心との間の中間位置に、貫通孔パターン４２及び４４を設定した。
【００４０】
したがって、貫通孔パターン４３に対応する位置を基準として左右それぞれ２段階にピン本体１１ｃを移動させることができる。ピン本体１１ｃの移動幅は任意に設定してよいが、例えば０．２５ｍｍ刻みとすることができる。
【００４１】
なお、板状部材１１の一対の湾曲スリット１１ｂも、凸部１１ｅと調整用スリット１２ｃの貫通パターン４１〜４５との嵌合位置に応じて移動するが、湾曲スリット１１ｂも、調整用スリット１２の形状に対応して湾曲しているため、図中ピン本体１１ｃの輪郭に対応する図中破線（イ）、一点鎖線（ロ）及び点線（ハ）にて示される移動位置のいずれにおいてもビス孔１２ｂが常に含まれる。これにより、確定した位置決め箇所で、ビス孔１２ｂをビス留めすることで、ローラユニットの位置決め機構１０、手前側板１５５ｃ及び手前側板１５３ｃを固定することができる。
【００４２】
一方、図１や図５（ａ）に示すように、ローラユニットの位置決め機構１０が設けられているのは搬送フレーム１５５の手前側板１５５ｃであり、図１に示すように、奥側板１５５ｂは従来例同様嵌合ピン１５６によって一定個所に固定されている。図５（ｂ）を参照して更に詳細に説明すると、嵌合ピン１５６は、搬送フレーム１５５の奥側板１５５ｂを貫通し、レジストローラユニット１５４の奥側板１５３ｂの図示しない嵌合孔に嵌合端１５６ｃが嵌合するが、嵌合ピン１５６の根元の保持部材１５６ａは固定位置のビス孔１５６ｂによって、奥側板１５５ｂに対して一意な場所でビス留め固定されるようになっている。
【００４３】
したがって、ローラユニットの位置決め機構１０によって、レジストローラユニット１５４は、底板１５５ａ上を嵌合ピン１５６の嵌合端１５６ｃの嵌合部分を中心に回動し、図１中の矢印Ａに示す用紙の搬送方向に対して斜交する向きにアライメントが調整される。例えば、貫通孔パターン４３から４５に凸部１１ｅを調整した場合、レジストローラユニット１５４は、手前側板１５３ｃの側が、用紙の搬送方向下流の図示しない感光体ドラム１３１に対して右方向に０．５ｍｍチルトした位置に対応することとなる。
【００４４】
以上のように、本実施の形態のローラユニットの位置決め機構１０によれば、レジストローラユニット１５４の位置決めを、凸部１１ｅと調整用スリット１２ｃとの嵌合位置に応じて決定することができ、画像形成装置を動作させ、形成した画像を確認後でも、容易且つ正確にレジストローラ１５１及び１５２のアライメントを保証することができる。又、予め画像形成を用紙に行っておき、用紙上における画像のチルトの大きさを定めて、当該チルトの大きさと調整用スリット１２ｃの貫通孔パターン４１〜４５の位置との関係をテーブルとして記録しておけば、用紙搬送装置１のアライメント調整をより容易に行うことができる。
【００４５】
なお、上記の説明においては、調整用スリット１２ｃを、搬送フレーム１５５の手前側板１５５ｃに設け、凸部１１ｅを保持部材１１ａに設けるものとして説明を行ったが、図６に示すように、凸部１１ｅに相当する凸部１２ｄを手前側板１５５ｃに設け、調整用スリット１２ｃに相当する調整用スリット１１ｇを保持部材１１ａに設けた構成としてもよい。要するに、本発明の第１の嵌合部及び第２の嵌合部は、互いに嵌合可能な構成となっていればよく、その嵌合の具体的な向きによって限定されるものではない。特に図６に示す構成とした場合、位置決め時に、位置決めしようとする目標箇所を目視により直感的に把握できる効果がある。
【００４６】
又、上記の説明においては、本発明の第１の嵌合部としての調整用スリット１２ｃは、同一形状の貫通孔パターン４１〜４５が互いに重なり合って配列してなる構成であるとして説明を行ったが、図７に示すように、調整用スリット１２ｃに代えて、互いに離隔した同一形状の貫通孔７１〜７５からなる調整孔列１２ｅとして構成してもよい。要するに、本発明の第１の嵌合部及び第２の嵌合部は、互いに嵌合可能な構成となっていればよく、その嵌合のための形状、寸法、配置によって限定されるものではない。貫通孔パターン又は貫通孔の個数は任意でよい。又、形状も円形の他、矩形、長円等の形状であってよい。
【００４７】
又、上記の説明においては、本発明の第１の嵌合部としての調整用スリット１２ｃ又は調整孔列１２ｅは、手前側板１５５ｃの両面を貫通する貫通孔であるとして説明を行ったが、手前側板１５５ｃの、凸部１１ｅと対向する面のみをえぐって形成した窪みであってもよい。
【００４８】
又、上記の説明においては、用紙搬送装置１はレジストローラ１５１及び１５２を有するレジストローラユニット１５４を備え、図８に示す画像形成部１３０の上流に設けられるものとしたが、本発明のローラユニットの位置決め機構は、画像形成装置内の他の搬送路、及び各部とのアライメントが必要な用紙搬送装置であれば、画像形成装置１００内の任意の用紙搬送装置において用いることができる。したがって本発明の搬送ローラはレジストローラに限定されず、任意の用途のローラに適用することができ、当然、レジストローラユニット以外の各種のローラユニットに対して実施することができる。
【００４９】
又、図８に示す画像形成装置において、本発明のローラユニットの位置決め機構を備えた用紙搬送装置１を内蔵した構成も、本発明に含まれる。このとき給紙装置１２０及び画像形成部１３０は本発明の給紙部及び画像形成部にそれぞれ相当する。
【産業上の利用可能性】
【００５０】
本発明は、ローラユニットの位置合わせを容易に行うことができる効果を有し、ローラユニットの位置決め機構及びそれを用いた画像形成装置等において有用である。
【図面の簡単な説明】
【００５１】
【図１】本発明の実施の形態のローラユニットの位置決め機構１０を備えた用紙搬送装置１の模式的斜視図である。
【図２】本発明の実施の形態のローラユニットの位置決め機構１０の要部を示す拡大図である。
【図３】（ａ）本発明の実施の形態のローラユニットの位置決め機構１０の構成を示す斜視図である。（ｂ）本発明の実施の形態のローラユニットの位置決め機構１０の構成を示す斜視図である。
【図４】本発明の実施の形態のローラユニットの位置決め機構１０の作用効果を説明するための図である。
【図５】（ａ）本発明の実施の形態の画像形成装置１における、ローラユニットの位置決め機構１０によるレジストローラユニット１５４の固定状態を示す図である。（ｂ）本発明の実施の形態の画像形成装置１における、嵌合ピン１５６によるレジストローラユニット１５４の固定状態を示す図である。
【図６】本発明の実施の形態のローラユニットの位置決め機構１０の他の構成例を示す拡大図である。
【図７】本発明の実施の形態のローラユニットの位置決め機構１０の他の構成例を示す拡大図である。
【図８】画像形成装置１００の構成を模式的に示す図である。
【図９】従来の技術による用紙搬送装置を模式的に示す斜視図である。
【符号の説明】
【００５２】
１  用紙搬送装置
１０  ローラユニットの位置決め機構
１１ａ  保持部材
１１ｂ  湾曲スリット
１１ｃ  ピン本体
１１ｄ  嵌合端
１１ｅ  突起
１１ｆ  打ち出し形成痕
１１ｇ  調整用スリット
１２ａ  長孔
１２ｂ  ビス孔
１２ｃ  調整用スリット
１２ｄ  突起
１２ｅ  調整孔列
【図２】
2010066735.tif 000003
【図３】
2010066735.tif 000004
【図４】
2010066735.tif 000005
【図５】
2010066735.tif 000006
【図６】
2010066735.tif 000007
【図７】
2010066735.tif 000008
【図８】
2010066735.tif 000009
【図１】
2010066735.tif 000010
【図９】
2010066735.tif 000011